(57)【要約】【課題】  放電電極線への電気集塵機用重錘の取付けを簡便且つ安価にできる電気集塵機用重錘を提供する。【解決手段】  重錘本体６１は、リング部５２を挿脱可能に収容する収容空間６１ａが内部に形成されている。重錘本体６１は、収容空間６１ａに収容されたリング部５２の開口部５２ａと連通する貫通孔６１ｂを有する。貫通孔６１ｂには、ピン６３が挿脱可能である。ピン６３は、リング部５２の開口部５２ａを貫通した状態で貫通孔６１ｂに挿着される。ピン６３は、中央部分の上方部が、収容空間６１ａを形成する上下方向に延在する内壁に対向して位置して水平方向の移動が規制されている。【選択図】図４
2017217587.tif 000002
【特許請求の範囲】
【請求項１】
湿式電気集塵機内の放電電極枠組に取り付けられた放電電極線の下端部に取り付けられる重錘であって、
重錘本体と、
前記放電電極線の下端部に形成されたリング部を挿脱可能に収容し前記重錘本体に形成された収容空間と、
前記収容空間に収容された前記リング部の開口部と連通し前記重錘本体に形成された貫通孔と、
前記貫通孔に挿脱可能であり、前記リング部の前記開口部を貫通した状態で前記貫通孔に挿着されるピンと
を有する湿式電気集塵機用重錘。
【請求項２】
前記収容空間は、その上方に前記リング部を挿脱可能な開口部を有し、
前記貫通孔は前記リング部を前記挿脱する方向と直交する方向に延設されている
請求項１に記載の電気集塵機用重錘。
【請求項３】
前記ピンは、前記貫通孔に挿着された状態において、
収容空間内に位置する中央部分の径が、当該中央部分の両側に位置する両側部分の径よりも大きく、
前記中央部分の上方部が、前記収容空間を形成する上下方向に延在する内壁に対向して位置して水平方向の移動が規制されている
請求項２に記載の電気集塵機用重錘。
【請求項４】
前記リング部は、ドーナツ状の貫通具であるコースに巻き付けられており、前記コースの中心の中空部を前記ピンが貫通している
請求項１〜３のいずれかに記載の電気集塵機用重錘。
【請求項５】
放電電極枠組と、
前記放電電極枠組に上端部が取り付けられた放電電極線と、
前記放電電極線の下端部に取付けられた電気集塵機用重錘と
を有し、
前記電気集塵機用重錘は、
重錘本体と、
前記放電電極線の下端部に形成されたリング部を挿脱可能に収容し前記重錘本体に形成された収容空間と、
前記収容空間に収容された前記リング部の開口部と連通し前記重錘本体に形成された貫通孔と、
前記貫通孔に挿脱可能であり、前記リング部の前記開口部を貫通した状態で前記貫通孔に挿着されるピンと
を有する
湿式電気集塵機。
【発明の詳細な説明】
【技術分野】
【０００１】
本発明は湿式電気集塵機内に配設する放電電極線の下端部に設けられる電気集塵機用重錘、並びにそれを用いた湿式電気集塵機に関するものである。
【背景技術】
【０００２】
近代社会においては、都市ごみ等のごみ焼却設備、産業廃棄物焼却設備、硫酸製造設備、金属精錬設備等から排出されるガス中の煤塵、有毒ガス等を除去して快適な生活環境を構築することが望まれ、前記排ガス処理設備の研究、開発がなされ、種々提案されている。
そのようなガス処理設備の中に湿式電気集塵装置がある。この湿式電気集塵装置は、固体や液体の微粒子が混在するガスを定極性電離作用の起こっている強電場に導いて浮遊微粒子に荷電し、煤塵等の微粒子とガスとを分離して集塵するもので、既に工業化されている。
【０００３】
図７は湿式電気集塵装置の原理を示すもので、正（＋）極に帯電の一対の集塵極１４１、１４１と、この集塵極１４１、１４１の中心に設け、負（−）極に帯電の放電極１１１とに直流電圧電源１６１により電圧を作用させると、定極性電離作用により強電場が形成され、放電極１１１付近でガス分子の電離、衝突作用が行われて正・負イオンが発生（コロナ放電）する。発生したイオンは放電極（強電場）を遠ざかるにしたがって次第に速力を減じ、中性分子を電離しなくなり、図示したように放電極１１１付近の正に帯電した電離区域１８１と、集塵極１４１付近に負に帯電した負荷電空間１９１とに分離される。
【０００４】
この強電場に煤塵、有毒ガス等を含んだガスを通過させると、大部分の微粒子には負電荷が付着し、電離区域１８１にきた微粒子だけには正か負の何方かの電荷が付着する。しかし、集塵機に入った大部分の微粒子は結局負帯電体となって集塵極１４１に追いやられ、集塵極１４１で集塵される。
【０００５】
図１は湿式電気集塵機の一部断面図である。前記強電場は図１に示すように、集塵室１０内に集塵電極板２５が等間隔で設けられ、該集塵電極板２５の間に放電電極線１１が放電電極枠組２１に固定され振止格子２４との間に吊り下げられる状態で配置され、これら放電電極線１１と集塵電極板２５との間に電圧をかけることにより前記図７に示す電離区域１８１と負荷電空間１９１とが形成される。
なお、図１において２７は碍子室で、該碍子室２７に支持碍子２８がセットされ、この支持碍子２８により放電線電極枠組２１が支持されている。
【先行技術文献】
【特許文献】
【０００６】
【特許文献１】特開２００６−７５７６２号公報
【発明の開示】
【発明が解決しようとする課題】
【０００７】
都市ゴミ焼却設備、産業廃棄物焼却設備、硫酸製造設備、金属製錬設備等の設備から排出される排ガス中には硫酸ミストのような腐食性が非常に強い成分が含まれてくるため放電電極線１１、放電線電極枠組２１の材料には鉛が使用される。
図１に示すように、鉛からなる放電電極線１１は放電線電極枠組２１と、振止格子２４との間に吊り下げられた状態で配置されている。
放電電極線１１の下端には、放電電極線１１に所定の張力を与えて振動を抑制するための重錘２６が吊り下げられている。
【０００８】
従来では、放電電極線１１への重錘２６の取付けは、図８Ａ，図８Ｂに示すボルト取付けタイプと、図９Ａ，図９Ｂに示す溶接タイプとがある。
【０００９】
ボルト取付けタイプでは、重錘上部に並行に２本並んだ突起に貫通孔を設け、放電電極線のリング状の下端部を２本の突起物の間に挟みこみ、現場にてボルト・ナットで取り付ける。
【００１０】
また、溶接タイプでは、重錘の中心部に段付き貫通孔を設け、予め貫通孔に放電電極線の下端部を挿入し、抜け落ちないように放電線の下端部を折り曲げ、放電電極線の重なり部分を現場にて溶接する。
【００１１】
ここで、上述したように放電電極線に重錘を取り付ける作業を現場で行うと、工程調整が困難であり、作業が高価になるという問題がある。
【００１２】
本発明は上記の問題点を解消し、放電電極線への電気集塵機用重錘の取付けを簡便且つ安価にできる電気集塵機用重錘及びそれを用いた湿式電気集塵機を提供することを目的とする。
【課題を解決するための手段】
【００１３】
上述した従来技術の問題点を解決し、上述した目的を達成するために、本発明の電気集塵機用重錘は、湿式電気集塵機内の放電電極枠組に取り付けられた放電電極線の下端部に取り付けられる重錘であって、重錘本体と、前記放電電極線の下端部に形成されたリング部を挿脱可能に収容し前記重錘本体に形成された収容空間と、前記収容空間に収容された前記リング部の開口部と連通し前記重錘本体に形成された貫通孔と、前記貫通孔に挿脱可能であり、前記リング部の前記開口部を貫通した状態で前記貫通孔に挿着されるピンとを有する。
【００１４】
この構成によれば、電気集塵機用重錘の貫通孔にピンを通すだけで、電気集塵機用重錘を放電電極線の下端部に取り付けることができる。そのため、現場においてボルト・ナットの取り付け作業や、溶接作業が不要であり、作業性に優れ、作業時間の短縮及び作業コストの低減を図ることができる。
【００１５】
好適には本発明の電気集塵機用重錘の前記収容空間は、その上方に前記リング部を挿脱可能な開口部を有し、前記貫通孔は前記リング部を前記挿脱する方向と直交する方向に延設されている。
【００１６】
好適には本発明の電気集塵機用重錘の前記ピンは、前記貫通孔に挿着された状態において、収容空間内に位置する中央部分の径が、当該中央部分の両側に位置する両側部分の径よりも大きく、前記中央部分の上方部が、前記収容空間を形成する上下方向に延在する内壁に対向して位置して水平方向の移動が規制されている。
【００１７】
好適には本発明の電気集塵機用重錘の前記リング部は、ドーナツ状の貫通具であるコースに巻き付けられており、前記コースの中心の中空部を前記ピンが貫通している。
【００１８】
本発明の湿式電気集塵機は、放電電極枠組と、前記放電電極枠組に上端部が取り付けられた放電電極線と、前記放電電極線の下端部に取付けられた電気集塵機用重錘とを有し、前記電気集塵機用重錘は、重錘本体と、前記放電電極線の下端部に形成されたリング部を挿脱可能に収容し前記重錘本体に形成された収容空間と、前記収容空間に収容された前記リング部の開口部と連通し前記重錘本体に形成された貫通孔と、前記貫通孔に挿脱可能であり、前記リング部の前記開口部を貫通した状態で前記貫通孔に挿着されるピンとを有する。
【発明の効果】
【００１９】
本発明によれば、放電電極線への電気集塵機用重錘の取付けを簡便且つ安価にできる電気集塵機用重錘及びそれを用いた湿式電気集塵機を提供することができる。
【図面の簡単な説明】
【００２０】
【図１】図１は、本発明の実施形態に係わる湿式電気集塵機の一部断面図である。
【図２】図２は、図１に示す湿式電気集塵機の放電電極線の周囲の構成要素を説明するための図である。
【図３】図３は、図２に示す放電電極線の下端部付近および重錘の外観図である。
【図４】図４は図３に示す重錘のピンの断面形状を説明するための図である。
【図５】図５は、図３に示す重錘の重錘本体の正面図である。
【図６】図６は、図３に示す重錘の断面構成を説明するための図である。
【図７】図７は、湿式電気集塵機の原理を説明するための図である。
【図８】図８は、従来の湿式電気集塵機に用いられるボルト取付けタイプの重錘を説明するための図である。
【図９】図９は、従来の湿式電気集塵機に用いられる溶接タイプの重錘を説明するための図である。
【発明を実施するための形態】
【００２１】
以下本発明を実施形態により詳細に説明する。
図１は湿式電気集塵機１の一部断面図である。図１に示すように、集塵室１０内に集塵電極板２５が等間隔で設けられ、集塵電極板２５の間に放電電極線１１が放電電極枠組２１に固定され振止格子２４との間に吊り下げられる状態で配置され、これら放電電極線１１と集塵電極板２５との間に電圧をかけることにより前記図７に示す電離区域１８１と負荷電空間１９１とが形成される。
なお、図１において２７は碍子室で、該碍子室２７に支持碍子２８がセットされ、この支持碍子２８により放電線電極枠組２１が支持されている。
【００２２】
図２は、図１に示す湿式電気集塵機１の放電電極線１１の周囲の構成要素を説明するための図である。
図３は、図２に示す放電電極線１１の下端部付近および重錘２６の外観図である。図４は図３に示す重錘２６のピンの断面形状を説明するための図である。図５は、図３に示す重錘２６の重錘本体の正面図である。図６は、図３に示す重錘２６の断面構成を説明するための図である。
【００２３】
図２に示すように、放電電極線１１は、放電電極線取付け具１０１によって放電電極枠組２１に取り付けられる。
放電電極線（放電線）１１は、鉛製で、例えば１２ｍｍ／□の角型、或いは外接円直径８ｍｍの星型で、その長手方向には放電の起点となる鉛製の刺（図示せず）が多数設けられている。
【００２４】
図２に示すように、放電電極線１１の上端部にはリング部１２が形成されている。リング部１２は、放電線上端部分をリング状に折り返して形成されている。リング部１２は、ドーナツ状の貫通具（以下コースと言うことがある）３１に挿着され、コース３１が回転軸１８に回転可能に放電線電極枠組２１に取付けられている。
【００２５】
図３に示すように、放電電極線１１の下端部には、リング部５２が形成されている。リング部５２は、放電線下端部分をリング状に折り返して形成されている。
リング部５２の上方において、放電電極線１１の折り返し部が固定環７２で締め付けて結合されている。これにより、リング部５２に重錘２６を吊り下げた時に、その重さに充分に耐えられる強度を有するようになる。
【００２６】
リング部５２は、ドーナツ状の貫通具であるコース５１に挿着されている。コース５１の中心の中空部をピン６３が貫通している。
【００２７】
リング部５２には、重錘２６が取り付けられている。
重錘２６は、重錘本体６１を有する。
重錘本体６１は、例えば、鉛製である。
【００２８】
図６に示すように、重錘本体６１は、リング部５２を挿脱可能に収容する収容空間６１ａが内部に形成されている。
また、重錘本体６１は、収容空間６１ａに収容されたリング部５２の開口部５２ａと連通する貫通孔６１ｂを有する。
貫通孔６１ｂには、ピン６３が挿脱可能である。ピン６３は、リング部５２の開口部５２ａを貫通した状態で貫通孔６１ｂに挿着される。
【００２９】
貫通孔６１ｂの収容空間６１ａは、上方にリング部５２を挿脱可能な開口部６１ａ１を有する。
貫通孔６１ｂは、リング部５２を挿脱する方向（上下方向：重力方向）と直交する方向（水平方向）に延設されている。
【００３０】
ピン６３は、貫通孔６１ｂに挿着された状態で、収容空間６１ａ内に位置する中央部分６３ａの径が、当該中央部分６３ａの両側に位置する両側部分６３ｂの径よりも大きい。
ピン６３は、中央部分６３ａの上方部が、収容空間６１ａを形成する上下方向に延在する内壁に対向して位置して水平方向の移動が規制されている。
【００３１】
以下、重錘２６を放電電極線１１に取り付ける工程を説明する。
先ず、放電電極線取付け具１０１によって放電線電極枠組２１に放電電極線１１の上端部のリング部１２をコース３１を介して吊り下げる。
【００３２】
次に、重錘本体６１を手等で支えた状態で、放電電極線１１の下端部のリング部５２を重錘本体６１の開口部６１ａ１、すなわち上方から重錘本体６１の収容空間６１ａ内に挿入する。
そして、リング部５２の開口部５２ａと、重錘本体６１の貫通孔６１ｂとの位置（高さ）を合わせる。
【００３３】
次に、重錘本体６１の貫通孔６１ｂに水平方向から、ピン６３を通し、ピン６３をリング部５２の開口部を貫通させる。そして、ピン６３の中央部分６３ａが収容空間６１ａに位置するまでピン６３を挿入する。
【００３４】
次に、重錘本体６１を支えている手を離す。これにより、ピン６３の中央部分６３ａが収容空間６１ａ内で上方に移動し、ピン６３の両側部分６３ｂが貫通孔６１ｂの上側内面に当たる位置で止まる。
このとき、ピン６３の中央部分６３ａの上方部が、収容空間６１ａを形成する上下方向に延在する内壁に対向して位置して水平方向の移動が規制され、ピン６３が貫通孔６１ｂ内に安定して保持される。
【００３５】
以上説明したように、本実施形態の湿式電気集塵機では、上述した構造の重錘２６を用いたことで、重錘２６の貫通孔６１ｂにピン６３を通すだけで、重錘２６を放電電極線１１の下端部に取り付けることができる。そのため、現場においてボルト・ナットの取り付け作業や、溶接作業が不要であり、作業性に優れ、作業時間の短縮及び作業コストの低減を図ることができる。
【００３６】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００３７】
例えば、重錘本体６１の形状は任意である。また、収容空間６１ａ及び貫通孔６１ｂの形状も任意である。
【符号の説明】
【００３８】
１…湿式電気集塵機
１０…集塵室
１１…放電電極線
１１ａ…リード線
１２…リング部
２１…放電電極枠組
２６…重錘
３１…コース
５１…コース
５２…リング部
５２ａ…開口部
６１…重錘本体
６１ａ…収容空間
６１ａ１…開口部
６１ｂ…貫通孔
６３…ピン
６３ａ…中央部分
６３ｂ…両側部分
７２…固定環
１０１…放電電極線取付け具
【図１】
2017217587.tif 000003
【図２】
2017217587.tif 000004
【図３】
2017217587.tif 000005
【図４】
2017217587.tif 000006
【図５】
2017217587.tif 000007
【図６】
2017217587.tif 000008
【図７】
2017217587.tif 000009
【図８】
2017217587.tif 000010
【図９】
2017217587.tif 000011